(57)【特許請求の範囲】
【請求項１】
ＩＰマルチメディアサブシステム、ＩＭＳでのオンライン課金に関する方法であって、ＩＭＳ課金ノード（３０）において、
（ａ）ＩＭＳサービスネットワークノード（２０）からクレジットコントロール要求メッセージを前記ＩＭＳサービスネットワークノード（２０）と前記ＩＭＳ課金ノード（３０）との間に提供されたサービス課金インターフェース（２２）を介して受信するステップ（Ｓ−Ｃ）と、
（ｂ）アナウンスが前記クレジットコントロール要求メッセージに関連付けられているユーザおよび／または他のユーザに提供されることを１つ以上のトリガ条件に基づいて決定するステップ（Ｓ−Ａ；Ｓ−Ｄ）と、
（ｃ）そのような決定に続いて、前記サービス課金インターフェース（２２）を介して前記ＩＭＳサービスネットワークノード（２０）にクレジットコントロール応答メッセージでアナウンス要求を送信する（Ｓ−Ｅ）ことにより前記ＩＭＳサービスネットワークノード（２０）でアナウンスサービスを開始するステップと、を含み、
前記クレジットコントロール応答メッセージは前記クレジットコントロール要求メッセージに対応し、および前記アナウンス要求は提供される前記アナウンスに関するアナウンス情報を含む、
方法。
【請求項２】
前記決定するステップ（Ｓ−Ｄ）は前記クレジットコントロール要求メッセージの受信に対応して実行される、請求項１に記載の方法。
【請求項３】
前記決定するステップ（Ｓ−Ａ）でのそのような決定に対応して、前記受信するステップが前記決定するステップに続いて実行されるように、前記ＩＭＳサービスネットワークノード（２０）に前記クレジットコントロール要求メッセージを送信するように要求するステップ（Ｓ−Ｂ）を含む、請求項１に記載の方法。
【請求項４】
前記要求するステップは再認証要求を送信するステップを含む、請求項３に記載の方法。
【請求項５】
ＩＰマルチメディアサブシステム、ＩＭＳでのオンライン課金に関する方法であって、ＩＭＳサービスネットワークノード（２０）において、
（ａ）クレジットコントロール要求メッセージをＩＭＳ課金ノード（３０）に前記ＩＭＳサービスネットワークノード（２０）と前記ＩＭＳ課金ノード（３０）との間に提供されたサービス課金インターフェース（２２）を介して送信するステップ（Ｓ−ｂ）と、
（ｂ）１つ以上のトリガ条件に基づいてアナウンスが前記クレジットコントロール要求メッセージに関連付けられているユーザおよび／または他のユーザに提供されることの前記ＩＭＳ課金ノード（３０）での決定に続いて、前記サービス課金インターフェース（２２）を介してクレジットコントロール応答メッセージでアナウンス要求を受信するステップ（Ｓ−ｃ）であって、前記クレジットコントロール応答メッセージは前記クレジットコントロール要求メッセージに対応し、前記アナウンス要求は提供される前記アナウンスに関連するアナウンス情報を含む、受信するステップと、
（ｃ）前記アナウンス要求の受信に対応して、前記ＩＭＳサービスネットワークノード（２０）でのアナウンスサービスをアクティベートするステップ（Ｓ−ｄ）と、
（ｄ）前記アナウンスサービスの一環として、前記アナウンス情報に基づいて提供されるアナウンスを用意するステップ（Ｓ−ｅ）と
を含む、方法。
【請求項６】
前記アナウンス情報は、（ｉ）いつ前記アナウンスが提供されるかに関する情報、（ｉｉ）誰に前記アナウンスが提供されるかに関する情報、および（ｉｉｉ）提供される前記アナウンスの内容に関する情報の少なくとも１つを含む、請求項１から５のいずれか一項に記載の方法。
【請求項７】
前記アナウンスの内容に関する前記情報は提供される前記アナウンスの少なくとも一部を構成する所定のコンテンツを検索するために使用することができるアナウンス識別子または参照を含む、請求項６に記載の方法。
【請求項８】
請求項５に従属する際に、前記アナウンス識別子または参照を用いて前記所定のコンテンツを検索するステップを含む、請求項７に記載の方法。
【請求項９】
前記アナウンス情報は前記アナウンス識別子または参照に基づいて前記所定のコンテンツを検索するために前記ＩＭＳサービスネットワークノード（２０）により使用されるサーバのアドレスを含む、請求項７または８に記載の方法。
【請求項１０】
請求項５に従属する際に、前記アナウンスのための前記所定のコンテンツを決定するために前記サーバと通信するステップを含む、請求項９に記載の方法。
【請求項１１】
前記アナウンスのコンテンツはウェルカムメッセージ、アカウント残高情報、禁止関連情報（ｂａｒｒｉｎｇ−ｒｅｌａｔｅｄ  ｉｎｆｏｒｍａｔｉｏｎ）、潜在的または実際の呼切断に関連する情報の少なくとも１つを含む、請求項６から１０のいずれか一項に記載の方法。
【請求項１２】
いつ前記アナウンスが提供されるかに関する前記情報は前記アナウンスが即時に提供されるか否かまたは所定時間または所定のイベントまで遅延されるか否かを指定する、請求項６から１１のいずれか一項に記載の方法。
【請求項１３】
前記アナウンスはアカウントまたはクレジット関連のアナウンスである、請求項１から１２のいずれか一項に記載の方法。
【請求項１４】
前記クレジットコントロール要求メッセージに関連付けられた前記ユーザは発呼者であり、前記他のユーザは被呼者であり、前記ＩＭＳサービスネットワークノード（２０）は発呼者から被呼者への呼を有効にすることに関与する、請求項１から１３のいずれか一項に記載の方法。
【請求項１５】
複数のアナウンス要求が前記クレジットコントロール応答メッセージに含まれる、請求項１から１４のいずれか一項に記載の方法。
【請求項１６】
請求項１４に従属する際に、前記複数のアナウンス要求の最初のものは呼設定のアナウンスに関連し、前記複数のアナウンス要求の第２のものは呼の終了時のアナウンスに関連する、請求項１５に記載の方法。
【請求項１７】
前記クレジットコントロール応答メッセージはＤｉａｍｅｔｅｒクレジットコントロール応答、ＣＣＡ、メッセージである、請求項１から１６のいずれか一項に記載の方法。
【請求項１８】
前記クレジットコントロール要求メッセージはＤｉａｍｅｔｅｒクレジットコントロール要求、ＣＣＲ、メッセージである、請求項１から１７のいずれか一項に記載の方法。
【請求項１９】
前記ＩＭＳ課金ノード（３０）はオンライン課金システム、ＯＣＳを含む、請求項１から１８のいずれか一項に記載の方法。
【請求項２０】
前記ＩＭＳサービスネットワークノード（２０）はアプリケーションサーバを含む、請求項１から１９のいずれか一項に記載の方法。
【請求項２１】
前記サービス課金インターフェースはＤｉａｍｅｔｅｒ  Ｒｏインターフェースである、請求項１から２０のいずれか一項に記載の方法。
【請求項２２】
ＩＰマルチメディアサブシステム（ＩＭＳ）でのオンライン課金のためのＩＭＳ課金ノード（３０）であって、
ＩＭＳサービスネットワークノード（２０）から第１のクレジットコントロール要求メッセージを前記ＩＭＳサービスネットワークノード（２０）と前記ＩＭＳ課金ノード（３０）との間に提供されたサービス課金インターフェース（２２）を介して受信する（Ｓ−Ｃ）よう構成された入出力インターフェース回路と、
アナウンスが前記クレジットコントロール要求メッセージに関連付けられているユーザおよび／または他のユーザに提供されることを１つ以上のトリガ条件に基づいて決定し（Ｓ−Ａ；Ｓ−Ｄ）、
そのような決定に続いて、前記サービス課金インターフェース（２２）を介して前記ＩＭＳサービスネットワークノード（２０）にクレジットコントロール応答メッセージでアナウンス要求を送信する（Ｓ−Ｅ）ことにより前記ＩＭＳサービスネットワークノード（２０）でアナウンスサービスを開始する、
よう構成されたプロセッサ回路と、を備え、
前記クレジットコントロール応答メッセージは前記クレジットコントロール要求メッセージに対応し、および前記アナウンス要求は提供される前記アナウンスに関するアナウンス情報を含む、
ＩＭＳ課金ノード（３０）。
【請求項２３】
ＩＰマルチメディアサブシステム（ＩＭＳ）でのオンライン課金のためのＩＭＳサービスネットワークノード（２０）であって、
入出力インターフェース回路と、
クレジットコントロール要求メッセージをＩＭＳ課金ノード（３０）に前記ＩＭＳサービスネットワークノード（２０）と前記ＩＭＳ課金ノード（３０）との間に提供されたサービス課金インターフェース（２２）を介して送信し（Ｓ−ｂ）、
１つ以上のトリガ条件に基づいてアナウンスが前記クレジットコントロール要求メッセージに関連付けられているユーザおよび／または他のユーザに提供されることの前記ＩＭＳ課金ノード（３０）での決定に続いて、前記サービス課金インターフェース（２２）を介してクレジットコントロール応答メッセージでアナウンス要求を受信し（Ｓ−ｃ）、前記クレジットコントロール応答メッセージは前記クレジットコントロール要求メッセージに対応し、前記アナウンス要求は提供される前記アナウンスに関連するアナウンス情報であり、
前記アナウンス要求の受信に対応して、前記ＩＭＳサービスネットワークノード（２０）でのアナウンスサービスをアクティベートし（Ｓ−ｄ）、
前記アナウンスサービスの一環として、前記アナウンス情報に基づいて提供されるアナウンスを用意する、
ように構成されたプロセッサ回路と、を備える、
ＩＭＳサービスネットワークノード（２０）。
【請求項２４】
記憶媒体または伝送媒体に記憶される、請求項１から２１のいずれか一項に記載の方法を実行するための装置を制御するためのプログラム。
【請求項２５】
請求項２４に記載のプログラムを含む、記憶媒体。
【発明の詳細な説明】
【技術分野】
【０００１】
本発明はＩＰマルチメディアサブシステムでのオンライン課金に関連する方法および装置に関する。
【背景技術】
【０００２】
世界的に見てモバイルユーザの相当数はオペレータ（通信事業者）へのプリペイド払込みを有するプリペイドユーザである。ほとんどのプリペイドユーザにはオンライン課金が使用されている。インテリジェントネットワーク（ＩＮ）ソリューションでは、使用されるオンライン課金システム（ＯＣＳ）がプリペイドユーザに対して呼のアナウンスを開始する機能を有しているのが一般的である。これらのアナウンスは呼設定の前（呼前のアナウンス）、通話中または呼の終了時に生成することができる。呼前のアナウンスは様々な理由で使用される（例えば、ウェルカムメッセージ、アカウント残高情報、禁止理由）。通話中のアナウンスはしばしばアカウント残高が非常に少ないという短い警告であり（しばしば音の形での、呼切断警告）、呼の終了時のアナウンスはアカウント残高が空であるため切断されたときに使用される。
【０００３】
マルチメディアテレフォニーサービス（ＭＭＴｅｌ）アプリケーションサーバ（ＡＳ）を使用するＩＰマルチメディアサブシステム（ＩＭＳ）ネットワークでのモバイルプリペイドユーザ用に、ＡＳはＲｏインターフェース上でＯＣＳからの属性値のペア（ＡＶＰ）で受信した情報に基づいていくつかのアナウンスを生成することができる（Ｒｏインターフェースは以下でさらに詳細に説明する）。このようなアナウンスは主に低残高インジケーションＡＶＰ、最終ユニットインジケーションＡＶＰおよび受信結果コードに基づくことができる。
【０００４】
ＲＦＣ  ４００６（Ｄｉａｍｅｔｅｒクレジットコントロール）、ＲＦＣ  ３５８８（Ｄｉａｍｅｔｅｒベースプロトコル）、３ＧＰＰ  ＴＳ  ２４．２２９（セッション開始プロトコル（ＳＩＰ）およびセッション記述プロトコル（ＳＤＰ）に基づいた、インターネットプロトコル（ＩＰ）マルチメディア呼制御プロトコル；ステージ３）、３ＧＰＰ  ＴＳ  ３２．２６０（ＩＭＳ課金）、３ＧＰＰ  ＴＳ  ３２．２４０（課金アーキテクチャおよび原則）、３ＧＰＰ  ＴＳ  ３２．２９９（通信管理、課金管理、Ｄｉａｍｅｔｅｒ課金アプリケーション）を参照のこと。
【０００５】
本出願人は、ＩＰマルチメディアサブシステム（ＩＭＳ）ネットワークにおけるマルチメディアテレフォニーサービス（ＭＭＴｅｌ）のモバイルプリペイドユーザのための改良されたアナウンスサービスの必要性があることを認識している。
【発明の概要】
【０００６】
ＩＰマルチメディアサブシステム、ＩＭＳ内のオンライン課金に関する方法が本明細書にて提案される。クレジットコントロール要求メッセージは、ＩＭＳサービスノードとＩＭＳ課金ノードとの間に提供されたサービス課金インターフェースを介してＩＭＳサービスネットワークノードからＩＭＳ課金ノードで受信される。アナウンスがクレジットコントロール要求メッセージおよび／または他のユーザに関連付けられたユーザに提供されることが、１つ以上のトリガ条件に関して、ＩＭＳ課金ノードで決定される。このような決定に続いて、アナウンスサービスは、ＩＭＳ課金ノードからＩＭＳサービスノードへサービス課金インターフェースを介してクレジットコントロール応答メッセージでアナウンス要求を送信することにより、ＩＭＳサービスノードにおいて開始される。クレジットコントロール応答メッセージはクレジットコントロール要求メッセージに対応している。アナウンス要求は提供されるアナウンスに関連するアナウンス情報を含む。
【０００７】
決定ステップはクレジットコントロール要求メッセージの受信に対応して実行されてもよい。
【０００８】
方法は決定ステップにおけるこのような決定に対応して、受信ステップが決定ステップに続いて行われるように、ＩＭＳサービスノードがクレジットコントロール要求メッセージを送信するように要求することを含んでいてもよい。
【０００９】
要求ステップは再認証要求を送信することを含んでいてもよい。
【００１０】
ＩＭＳサービスノードの観点から、上記の方法は以下のように見られる。クレジットコントロール要求メッセージは、ＩＭＳサービスノードとＩＭＳ課金ノードとの間に提供されたサービス課金インターフェースを介してＩＭＳ課金ノードに送信される。アナウンスがクレジットコントロール要求メッセージおよび／または他のユーザに関連付けられたユーザに提供されることのＩＭＳ課金ノードでの決定に続いて、アナウンス要求はサービス課金インターフェースを介してクレジットコントロール応答メッセージで受信される。クレジットコントロール応答メッセージはクレジットコントロール要求メッセージに対応している。アナウンス要求は提供されるアナウンスに関連するアナウンス情報を含む。アナウンス要求の受信に対応して、アナウンスサービスはＩＭＳサービスノードでアクティベートされる。アナウンスサービスの一環として、アナウンス情報に基づいてアナウンスが提供されるように用意される。
【００１１】
アナウンス情報は、（ｉ）アナウンスがいつ提供されるかに関する情報、（ｉｉ）アナウンスが誰に提供されるかに関する情報、および（ｉｉｉ）提供されるアナウンス内容に関する情報の少なくとも１つを含んでいてもよい。
【００１２】
アナウンスの内容に関する情報は提供されるアナウンスの少なくとも一部を構成する所定の内容を検索するために使用することができるアナウンス識別子または参照を含んでいてもよい。
【００１３】
方法はアナウンス識別子または参照を用いて所定の内容を検索することを含んでいてもよい。
【００１４】
アナウンス情報はアナウンス識別子または参照に基づいて所定の内容を検索するＩＭＳサービスノードにより使用されるサーバのアドレスを含んでいてもよい。
【００１５】
方法はアナウンスするための所定の内容を決定するためにサーバと通信することを含んでいてもよい。
【００１６】
アナウンスの内容はウェルカムメッセージ、アカウント残高情報、禁止に関連する情報、アカウント残高情報、潜在的なまたは実際の呼切断に関連する情報の少なくとも１つを含んでいてもよい。
【００１７】
アナウンスがいつ提供されるかに関する情報は、アナウンスが即時に提供されるか否か、または所定時間または所定のイベントまで遅延されるか否かを指定してもよい。
【００１８】
アナウンスはアカウントまたはクレジットに関連するアナウンスであってもよい。
【００１９】
クレジットコントロール要求メッセージに関連付けられたユーザは発呼者であってもよい。他のユーザは被呼者であってもよい。ＩＭＳサービスノードは発呼者から被呼者への呼を有効にすることに関与してもよい。
【００２０】
複数のアナウンス要求はクレジットコントロール応答メッセージに含まれてもよい。
【００２１】
複数のアナウンス要求の最初のアナウンス要求は呼設定アナウンスに関連してもよく、複数のアナウンス要求の第２のアナウンス要求は呼の終了時のアナウンスに関連してもよい。
【００２２】
クレジットコントロール応答メッセージは、Ｄｉａｍｅｔｅｒクレジットコントロール応答、ＣＣＡ、メッセージであってもよい。
【００２３】
クレジットコントロール要求メッセージは、Ｄｉａｍｅｔｅｒクレジットコントロール要求、ＣＣＲ、メッセージであってもよい。
【００２４】
ＩＭＳ課金ノードはオンライン課金システム、ＯＣＳを含んでいてもよい。
【００２５】
ＩＭＳサービスノードはアプリケーションサーバを含んでいてもよい。
【００２６】
サービス課金インターフェースはＤｉａｍｅｔｅｒ  Ｒｏインターフェースであってもよい。
【００２７】
装置はＩＰマルチメディアサブシステム、ＩＭＳでの上述した方式によるオンライン課金のために提案される。装置はＩＭＳ課金ノードで使用するためのものである。装置はＩＭＳサービスノードとＩＭＳ課金ノードとの間に提供されたサービス課金インターフェースを介してＩＭＳサービスネットワークノードからクレジットコントロール要求メッセージを受信する手段（または、用意または適合された受信部／プロセッサ／回路／ユニット）を備える。装置はアナウンスがクレジットコントロール要求メッセージおよび／または他のユーザに関連付けられたユーザに提供されることを１つ以上のトリガ条件に関して決定するための手段（または、用意または適合されたプロセッサ／回路／ユニット）を備える。装置は、このような決定に続いて、ＩＭＳサービスノードへのサービス課金インターフェースを介してクレジットコントロール応答メッセージでアナウンス要求を送信することによりＩＭＳサービスノードでアナウンスサービスを開始する手段（または、用意または適合された送信部／プロセッサ／回路／ユニット）を備え、クレジットコントロール応答メッセージはクレジットコントロール要求メッセージに対応し、アナウンス要求は提供されるアナウンスに関するアナウンス情報を含む。
【００２８】
装置はＩＰマルチメディアサブシステム、ＩＭＳでの上述した方式によるオンライン課金のために提案される。装置はＩＭＳサービスノードで使用するためのものである。装置はＩＭＳサービスノードとＩＭＳ課金ノードとの間に提供されたサービス課金インターフェースを介してＩＭＳ課金ノードにクレジットコントロール要求メッセージを送信するための手段（または、用意または適合された送信部／プロセッサ／回路／ユニット）を備える。装置は、アナウンスがクレジットコントロール要求メッセージおよび／または他のユーザに関連付けられているユーザに提供されることをＩＭＳ課金ノードで決定後に、サービス課金インターフェースを介してクレジットコントロール応答メッセージでアナウンス要求を受信する手段（または、用意または適合された受信部／プロセッサ／回路／ユニット）を備え、クレジットコントロール応答メッセージはクレジットコントロール要求メッセージに対応し、アナウンス要求は提供されるアナウンスに関するアナウンス情報を含む。装置は、アナウンス要求の受信に対応して、ＩＭＳサービスノードでアナウンスサービスをアクティベートする手段（または、用意または適合されたプロセッサ／回路／ユニット）を備える。装置は、アナウンスサービスの一環として、アナウンス情報に基づいて提供されるアナウンスの用意をする手段（または、用意または適合されたプロセッサ／回路／ユニット）を備える。
【００２９】
本明細書にて提案される方法を実行する装置を制御するためのプログラム、または装置にロードされると装置を本明細書で提案されるような装置にするプログラムも提案される。プログラムは搬送媒体で搬送されてもよい。搬送媒体は記憶媒体であってもよい。搬送媒体は伝送媒体であってもよい。記憶媒体はそのようなプログラムを含むので、そのようなプログラムによりプログラムされた装置も想定される。
【００３０】
以前に考えられていた技術では、ＡＳに提供されるインジケーションはＯＣＳがＡＳを介してユーザに特定のアナウンスを提供することを有効にしていない。例えば、低残高インジケーションは残高が低いことの一般的な情報を提供するのみである。本発明の実施形態は、ＯＣＳがアナウンスサービスの態様を制御できるように、およびどのようなアナウンスがされるのかを、はるかに柔軟なアプローチで可能にする。例えば、本発明の実施形態は、残高がどの程度低いのか、またはこの低残高がどのくらいの期間続くのかを通知すること、およびそれに応じてどのようなアナウンスが行われるべきかの制御を可能にする。提供されるアナウンスに関連するアナウンス情報の送信は、以前に考えられていたアプローチでは提案されていない。さらに、以前に考えられていた技術とは異なり、本発明の実施形態は目的の固有ＡＶＰを必要としないが、ＯＣＳからＡＳに対してどのような種類のアナウンスのトリガをも可能にする。例としてはウェルカムアナウンス、キャンペーン情報などであってもよい。
【００３１】
クレジットコントロール応答メッセージでアナウンス要求を送信することによりＡＳでアナウンスサービスはＯＣＳから開始され、特に提供されるアナウンスに関連して、アナウンスサービスがアナウンス要求により搬送されるアナウンス情報に従って行われる（制御される）。
【００３２】
本発明の実施形態によるフレキシブルアナウンスは、今日のモバイルネットワークで利用可能なサービスと比較して同等以上のアナウンスサービスであるＭＭＴｅｌでＩＭＳでのオンライン課金をユーザに提供することができる。このソリューションはまた、ネットワーク内の全体的なアナウンスハンドリングおよびアナウンスサーバ用の構造がどのように構築されるかに基づいてアナウンスを課金するための最適化されたソリューションを作成するための柔軟性をオペレータに提供する。
【００３３】
説明される実施形態の修正および他の変形例は、前述の説明および関連する図面に示された教示の利益を有する当業者には想定されるであろう。したがって、実施形態は開示された特定の例示に限定されるものではなく、修正および他の変形例は本開示の範囲内に含まれることが意図されていることが理解されるべきである。本明細書では特定の用語が使用されてもよいが、それらは限定の目的のためではなく、一般的かつ説明的な意味でのみ使用されている。
【図面の簡単な説明】
【００３４】
【図１】図１は、オンラインおよびオフラインの課金システムに関わるＩＭＳエンティティおよびインターフェースのバックグラウンドを示す。
【図２】図２は、オンライン課金シナリオでＯＣＳおよびＭＭＴｅｌ  ＡＳ間のＲｏインターフェースを介して渡されるメッセージを説明するためのものである。
【図３】図３は、図２のクレジットコントロール問い合わせ応答メッセージに追加のアナウンス関連情報を含めることを提案する本発明の実施形態を説明するためのものである。
【図４ａ】図４ａは、本発明の実施形態により実行される方法を図式的に示す。
【図４ｂ】図４ｂは、本発明の実施形態により実行される方法を図式的に示す。
【図５】図５は、本発明の実施形態による方法を実行するための装置を図式的に示す。
【図６】図６は、本発明の実施形態を実装することができるノードを図式的に示す。
【図７ａ】図７ａは、アナウンスが呼設定で提供される、本発明の実施形態によるアナウンスサービスの提供に関連して交換されるメッセージおよび実行されるステップを示すシグナリング図を示す。
【図７ｂ】図７ｂは、アナウンスが呼設定で提供される、本発明の実施形態によるアナウンスサービスの提供に関連して交換されるメッセージおよび実行されるステップを示すシグナリング図を示す。
【図８】図８は、アナウンスが通話中に提供される、本発明の実施形態によるアナウンスサービスの提供に関連して交換されるメッセージおよび実行されるステップを示すシグナリング図を示す。
【図９】図９は、アナウンスが呼の終了時に提供される、本発明の実施形態によるアナウンスサービスの提供に関連して交換されるメッセージおよび実行されるステップを示すシグナリング図を示す。
【図１０】図１０は、アナウンスが呼設定時および呼の終了時の両方で提供される、本発明の実施形態によるアナウンスサービスの提供に関連して交換されるメッセージおよび実行されるステップを示すシグナリング図を示す。
【図１１】図１１は、アナウンスが通話中に提供されオンライン課金システムから開始される、本発明の実施形態によるアナウンスサービスの提供に関連して交換されるメッセージおよび実行されるステップを示すシグナリング図を示す。
【図１２】図１２は、本発明の最初の代替実施形態の説明に使用するためのものである。
【図１３】図１３は、本発明の最初の代替実施形態の説明に使用するためのものである。
【図１４】図１４は、本発明の第２の代替実施形態の説明に使用するためのものである。
【図１５】図１５は、本発明の実施形態を実装することができるネットワークを図式的に示す。
【図１６】図１６は、本発明の実施形態によるユーザ端末を図式的に示す。
【図１７】図１７は、本発明の実施形態による基地局を図式的に示す。
【発明を実施するための形態】
【００３５】
本発明の実施形態は、最初に一般的な用語で説明し、続いてより詳細に説明する。
【００３６】
本発明の実施形態は、ＩＰマルチメディアサブシステム（ＩＭＳ）アーキテクチャの原則、およびＲｏ参照点でのオンライン課金原則に従うことを一般に意図している。この点において、Ｒｏは、他のそのようなインターフェースのコンテキストで、図１を参照して簡潔に説明されるＤｉａｍｅｔｅｒインターフェースである。
【００３７】
図１は、オンラインおよびオフラインの課金システムに関わるＩＭＳエンティティおよびインターフェースを示す。
【００３８】
ＲｏはＡＳ、メディアリソース機能コントローラ（ＭＲＦＣ）、サービング呼セッションコントロール機能（Ｓ−ＣＳＣＦ）（またはより一般的にはサービスネットワーク内のノード）によりＯＣＳとオンライン課金情報を交換するために使用されるＤｉａｍｅｔｅｒインターフェースである。
【００３９】
Ｇｘはポリシーおよび課金実施機能（ＰＣＥＦ）とポリシーおよび課金ルール機能（ＰＣＲＦ）との間でポリシー決定に関連する情報を交換するために使用されるＤｉａｍｅｔｅｒインターフェースである。
【００４０】
ＧｙはＯＣＳおよびＰＣＥＦ（またはより一般的にコアネットワーク内のノード）間のＤｉａｍｅｔｅｒインターフェースである。
【００４１】
ユーザはＲｏインターフェースを介して音声およびビデオに、Ｇｙインターフェースを介してデータに課金される（Ｇｙはフローベースの課金に使用される）。
【００４２】
Ｒｘはプロキシ呼セッションコントロール機能（Ｐ−ＣＳＣＦ）とＰＣＲＦとの間でポリシーおよび課金関連情報を交換するために使用されるＤｉａｍｅｔｅｒインターフェースである。
【００４３】
ＲｆはＣＤＦとオフライン課金情報を交換するために使用されるＤｉａｍｅｔｅｒインターフェースである。
【００４４】
オンライン課金では、ネットワークリソースの使用は価格または要求されたサービスの料金および加入者のアカウントの残高に基づくＯＣＳにより付与される。ＯＣＳはオンライン課金機能の２つのタイプ：セッションベースの課金機能（ＳＢＣＦ）およびイベントベースの課金機能（ＥＢＣＦ）をサポートしている。ＳＢＣＦはネットワークベアラおよび音声通話、ＧＰＲＳセッション、またはＩＭＳセッションなどのセッションベースのサービスを担当する。ＯＣＳは加入者のアカウントをチェックした後にセッション確立要求を許可または拒否することによりセッションを制御することができる。
【００４５】
ＩＭＳはＩＭＳノードまたはＡＳがリアルタイムでユーザのアカウントを処理する、またはサービス利用に関連した課金をコントロールするためにＯＣＳと相互作用する、ＯＣＳを通じてオンライン課金機能をサポートする。
【００４６】
しかしながら、本出願人はＲｏインターフェースを使用してＯＣＳからフレキシブルアナウンスサービスを開始することが現在可能ではないことを理解し、Ｒｏ（または同等の）インターフェース上でＯＣＳから開始することができるフレキシブルなアナウンスサービスを提供することが望ましいことを認識している。
【００４７】
本発明の実施形態は図２に示されるＯＣＳ３とＩＭＳノード２との間の既存の通信原則に基づいている。ＯＣＳからアナウンスを開始できるようにするため、図３に図式的に示されるように、新しい「アナウンスサービス」がＡＳ２１で定義され、サービスのためのトリガ点がＯＣＳ３１で定義され、ＯＣＳ３１およびＡＳ２１間のプロトコルに対して追加が行われる。
【００４８】
普通のクレジットコントロール問い合わせ要求がＯＣＳ３１で受信される場合、呼設定がされる前または通話中のどちらかで、ＯＣＳ３１は普通のレーティングおよびプロセスを行う。この要求の結果は成功であり得る（つまり、クォータが予約されている）か、または不成功であり得る。これに加えて、ＯＣＳ３１はまたアナウンスを開始するためのトリガ条件をチェックする。アナウンスサービスがＡＳ２１から要求される場合、ＯＣＳ３１は、図３に示すように、ＡＳ２１への問い合わせ応答にこの要求を追加する。ＯＣＳ３１はアナウンスサービス要求の一部としてタイミングインジケータ、代替再生インジケータおよびアナウンス識別子を含む。タイミングインジケータは、例えば即時または遅延でアナウンスが再生されるときに、ＭＭＴｅｌ  ＡＳ２１でアナウンスサービスを通知するために使用される。代替再生インジケータは、例えば発呼者または被呼者またはその両方の、どの対象者へのアナウンスが再生されなければならないかのアナウンスサービスを通知するために使用される。アナウンス識別子はアナウンスを識別するために使用され、また複数のアナウンスが含まれる場合にシーケンス番号、およびアナウンスの可変部に含まれる設定可能な変数を含むことができる。
【００４９】
ＡＳ２１でのアナウンスサービスは、
アナウンス選択部
ユーザおよびアナウンス機器間の接続処理
から成っていてもよい。
【００５０】
アナウンス選択部はＡＳ２１内でＯＣＳ３１から内部的に定義されたメッセージへの受信アナウンス識別子に基づいたマッピング機能から成っていてもよい。
【００５１】
ＡＳ２１はアナウンス機器への接続を設定してもよく、アナウンスが代替再生インジケータの内容に基づいてユーザに送信されることを制御してもよい。メッセージがユーザに配信された後、ＡＳ２１はアナウンス機器との接続を切断してもよい。
【００５２】
実施形態は図４ａおよび図４ｂのフローチャートに図式的にまとめられる。これらの図は、ＩＭＳサービスネットワークノード（例えば、ＡＳ）２０、ＩＭＳ課金ノード（例えば、ＯＣＳ）３０、およびアナウンスサーバノード（例えば、ＭＲＦ／ＭＧＷ）４０により実行されるステップを示す。ＩＭＳサービスネットワークノード２０およびＩＭＳ課金ノード３０の構成要素は図５に図式的に示される。
【００５３】
ステップＳ−ｂでＩＭＳサービスネットワークノード２０は、ＩＭＳサービスネットワークノード２０とＩＭＳ課金ノード３０との間に設けられたサービス課金インターフェース２２を介してクレジットコントロール要求メッセージをＩＭＳ課金ノード３０に送信する。ステップＳ−Ｃで、ＩＭＳ課金ノード３０は、サービス課金インターフェース２２を介してＩＭＳサービスネットワークノード２０からクレジットコントロール要求メッセージを受信する。
【００５４】
このクレジットコントロール要求メッセージはＩＭＳ課金ノード３０により要求されてもよく、ＩＭＳサービスネットワークノード２０の動作の通常の過程においてＩＭＳサービスネットワークノード２０により送信されてもよい。これらの２つのオプションは次に最初のオプション（図４ａの「オプションＡ」）で始まり、第２のオプション（図４ａの「オプションＢ」）が続くように設定される。
【００５５】
ステップＳ−Ａでの、オプションＡに関して、ＩＭＳ課金ノード３０はアナウンスがクレジットコントロール要求メッセージ（例えば、発呼者）および／または他のユーザ（例えば、被呼者）に関連付けられたユーザに提供されることを１つ以上のトリガ条件に関して決定する。ステップＳ−Ａでのこのような決定に対応して、ステップＳ−ＢでＩＭＳ課金ノード３０は、ＩＭＳサービスネットワークノード２０にクレジットコントロール要求メッセージを送信するように要求（例えば、再認証要求）を送信する。その要求はステップＳ−ａでＩＭＳサービスネットワークノード２０により受信される。要求の受信に対応して、ＩＭＳサービスネットワークノード２０はステップＳ−ｂでＩＭＳ課金ノード３０にクレジットコントロール要求メッセージを送信する。アナウンスが提供されていないことがステップＳ−Ａでの決定である場合については、本発明の範囲を超えている。
【００５６】
オプションＢについては、ステップＳ−Ａ、Ｓ−ＢおよびＳ−ａは実行されない。代わりに、クレジットコントロール要求メッセージはＩＭＳサービスネットワークノード２０の通常動作のステップＳ−ｂで送信され、ステップＳ−ｂでクレジットコントロール要求メッセージを送信する理由は重要ではないが、可能ないくつかの理由が以下に詳細に提示される。ステップＳ−Ｃのクレジットコントロール要求メッセージの受信に続いて、ＩＭＳ課金ノード３０は次にステップＳ−ＤでステップＳ−Ａに関連して上述したものと同様のチェックを行う。換言すれば、ステップＳ−ＤでＩＭＳ課金ノード３０は、アナウンスがクレジットコントロール要求メッセージ（例えば、発呼者）および／または他のユーザ（例えば、被呼者）に関連付けられたユーザに提供されることを１つ以上のトリガ条件に関して決定する。
【００５７】
ステップＳ−Ｄでのこのような決定に対応して、処理はステップＳ−Ｅに進む。ステップＳ−Ｄでの決定がアナウンスが提供されていないことである場合については、本発明の範囲を超えている。オプションＡで処理がステップＳ−ＣからＳ−Ｅをパスするように、オプションＡではステップＳ−Ｄは実行されない。
【００５８】
したがって、ＩＭＳ課金ノード３０でクレジットコントロール要求メッセージが受信される前または後のいずれかに決定ステップが来て、決定ステップはオプションＡおよびオプションＢの両方でＩＭＳ課金ノード３０により実行される。オプションＡでは受信ステップが決定ステップの次に実行されるように、クレジットコントロールメッセージが決定ステップのそのような決定に対応して要求される一方、オプションＢでは、決定ステップはクレジットコントロール要求メッセージの受信に対応して実行される。
【００５９】
そのような決定が行われた後（ステップＳ−ＡまたはステップＳ−Ｄでの「はい」）に、アナウンスサービスはＩＭＳサービスネットワークノード２０でのステップＳ−Ｅでサービス課金インターフェース２２を介してＩＭＳサービスネットワークノード２０にクレジットコントロール応答メッセージでアナウンス要求を送信することにより開始される。ステップＳ−Ｅで送信されるクレジットコントロール応答メッセージは、ステップＳ−Ｃで受信したクレジットコントロール要求メッセージに対する応答である。アナウンス要求は提供されるアナウンスに関連する情報を含む。
【００６０】
アナウンス要求はサービス課金インターフェース２２を介してクレジットコントロール応答メッセージでＩＭＳサービスネットワークノード２０によりステップＳ−ｃで受信され、ステップＳ−ｃで受信されたクレジットコントロール応答メッセージは以前にステップＳ−ｂで送信されたクレジットコントロール要求メッセージに対応し、アナウンス要求は提供されるアナウンスに関連する情報を含む。
【００６１】
アナウンス要求の受信に対応して、アナウンスサービスはステップＳ−ｄにおいてＩＭＳサービスネットワークノード２０でアクティベートされる。アナウンスサービスの一環として、ステップＳ−ｅでＩＭＳサービスネットワークノード２０はアナウンス要求内のアナウンス情報に基づいて提供されるアナウンスを用意する。アナウンスの提供は、特定の実施形態での詳細が以下に提供される、アナウンスサーバ４０と協働して実行されてもよい。ステップＳ−ｆにおいてアナウンスサービスはＩＭＳサービスネットワークノード２０で終了する。
【００６２】
ＩＭＳサービスネットワークノード２０およびＩＭＳ課金ノード３０の構成要素は図５に図式的に示される。ＩＭＳサービスネットワークノード２０はステップＳ−ａからＳ−ｆをそれぞれ実行するように用意または適合された構成要素（例えば、プロセッサ／受信部／送信部）Ｐ−ａからＰ−ｆを備える。ＩＭＳ課金ノード３０はステップＳ−ＡからＳ−Ｅをそれぞれ実行するように用意または適合された構成要素（例えば、プロセッサ／受信部／送信部）Ｐ−ＡからＰ−Ｅを備える。
【００６３】
上記の構成要素のうちの１つ以上の動作は、処理ユニットが装置または機器上で動作するプログラムにより少なくとも部分的に制御または提供されることができる、１つ以上のプロセッサまたは処理ユニットの形態で提供され得ることが認識されるであろう。図示の構成要素のいくつかの機能は実際には単一の構成要素により実行されてもよい。単一のプロセッサまたは処理ユニットは複数の構成要素の機能を実行するように用意されてもよい。このような動作プログラムはコンピュータ可読媒体上に格納することができ、または、例えば、インターネットウェブサイトから提供されるダウンロード可能なデータ信号等の信号で具現化することができる。本開示は動作プログラムそれ自身によりカバーするように、または搬送体上のレコードとして、または信号として、または任意の他の形式で解釈されるべきである。
【００６４】
図６は本明細書に説明される技術を実装することができるノード１の概略図である。本明細書に説明される方法を実施するためにノード１を制御するためのコンピュータプログラムはプログラム記憶部７０に格納される。本明細書に説明される方法の実行中に使用されるデータはデータ記憶部６０に格納される。本明細書に説明される方法の実行中に、プログラムステップはプログラム記憶部７０からフェッチされ、データ記憶部６０から必要なデータを取得する中央処理装置（ＣＰＵ）５０によって実行される。本明細書に説明される方法の実行の結果の出力情報は、必要に応じてデータ記憶部６０に書き戻される、または他のノードにデータを送信するための送信部を備えていてもよい入力／出力（Ｉ／Ｏ）インターフェース８０に送信することができる。同様に、入力／出力（Ｉ／Ｏ）インターフェース８０は、例えばＣＰＵ５０で使用するために、他のノードからデータを受信するための受信部を含んでいてもよい。
【００６５】
本発明のより具体的な実施形態のさらなる説明の前に、前述の「サービス課金インターフェース」に関連する簡単な説明が提供される。この点において、コンテンツ課金、サービス課金（または通信課金）およびベアラ課金の、課金の３つの異なるタイプがあると考えることができる。いくつか例を挙げるとイベント単位、セッション単位、コンテンツベースおよび値ベースなど、使用されている多くの異なる課金モデルがあるが、それらは一般的にコンテンツ課金、サービス課金およびベアラ課金の３つのタイプやレベルに分類することができる。多くのコンテンツおよびデータサービスの課金はこれらのレベルの組み合わせに基づくことができ通常は基づくであろうから、オペレータはすべての異なるサービスに対して異なるレベルの課金を柔軟に設定する。
【００６６】
媒体を介して配信されるサービスまたはコンテンツというよりも、サービスを搬送する実際の媒体のためにユーザが課金されたときにベアラ課金が発生する。例としては顧客が無線インターネットを使用する際にはデータバイトに課金される。ベアラ課金を使用する際には、ゼロレートのサービスまたはコンテンツ、またはその両方が可能であるべきである。
【００６７】
サービスを有効にするためにユーザが課金されたときにサービス課金が発生する（例えば、人から人へのテキストまたは画像メッセージング、ストリーミングおよびロケーションベースサービス）。課金サービスを使用する際には、ゼロレートベアラまたはコンテンツ課金、またはその両方が可能であるべきである。
【００６８】
ユーザが基礎となる技術ではなくコンテンツから受け取る実際の経験や価値のためにユーザが課金されたときにコンテンツ課金が発生する。この課金レベルの恩恵を受けるであろうコンテンツおよびデータサービスの例としては、コンテンツから人へのＭＭＳ（スポーツクリップなど）およびモバイルゲームなどである。コンテンツ課金を使用する際には、ゼロレートベアラまたはサービス課金、またはその両方が可能であるべきである。
【００６９】
ベアラ課金がコアネットワークに関連付けられている一方、コンテンツおよびサービス課金はサービスネットワークに一般的に関連付けられる。Ｒｏインターフェースがコンテンツおよびサービス課金のために使用される一方、Ｇｙインターフェースはベアラ課金のために使用される。このため、本明細書で使用されるサービス課金という用語は、ベアラ課金という用語がコアネットワークに関連付けられた課金を意味する一方、サービスネットワークに関連付けられた課金、すなわち上記の説明によるコンテンツ課金および／またはサービス課金を意味することを意図している。
【００７０】
したがって、Ｒｏインターフェースは「サービス課金インターフェース」の例である。
【００７１】
本発明を実施する詳細な例について説明する。
【００７２】
図７ａおよび図７ｂに示す例では呼設定時のアナウンス要求を説明している。
【００７３】
１．ＭＭＴｅｌ  ＡＳ２１はＩＮＶＩＴＥを受信する。発信加入者はオンライン課金ユーザであり、すなわちＯＣＳ３１へのアドレスはＰＣＦＡに含まれる。
【００７４】
２．ＭＭＴｅｌ  ＡＳ２１は利用可能課金情報を収集し、ＯＣＳ３１にＣＣＲ（Ｉ）を送信する。
【００７５】
３．ＯＣＳ３１は受信した情報に基づいてレーティングを行い、アカウントの状態をチェックする。ＯＣＳ３１は加入者がプリペイドユーザであるという認識を持つことになる。アナウンスサービスがＡＳから要求することが可能である場合、ＯＣＳ３１はアナウンスサービスのためのいくつかのトリガ条件が満たされているかどうかをチェックする。
【００７６】
ＭＭＴｅｌ  ＡＳ２１でアナウンスサービスを要求するためのＯＣＳ３１でのトリガ条件は、例えば：
−新たな加入者からの最初の呼び出し
−残高補充後の最初の呼び出し
−低残高、すなわちアカウントのためのしきい値がＯＣＳ３１を超過
−ノークレジット
−アカウントタイマーの終了
−サービス管理の終了
などである。
【００７７】
４．ＣＣＡ（Ｉ）に含まれる通常の問い合わせ結果に加えて、ＯＣＳ３１はアナウンス要求をも追加する。
【００７８】
アナウンス要求は新しいグループ化ＡＶＰで搬送される。
【００７９】
５．アナウンスサービスがＭＭＴｅｌ  ＡＳ２１で利用可能およびアクティブとなっている場合は、問い合わせの結果が格納され、タイミングインジケータが即時に設定されているのでアナウンスサービスが開始される。
【００８０】
６．ＭＭＴｅｌ  ＡＳ２１は発信ユーザに送信するアナウンスを選択する。選択はＯＣＳ３１から受信したアナウンス識別子に基づいている。
【００８１】
７．接続は発信元のユーザに対して確立される。
【００８２】
８．ＭＭＴｅｌ  ＡＳ２１はメディアリソース機能／メディアゲートウェイ（ＭＲＦ／ＭＧＷ）４１への接続を確立し、どのアナウンスを再生するのか通知する。
【００８３】
９．アナウンスは発信元のユーザに再生される。ＭＲＦ／ＭＧＷ４１はアナウンスがいつ配信されたのかをＭＭＴｅｌ  ＡＳ２１に示す。
【００８４】
１０．ＭＭＴａｌ  ＡＳ２１とＭＲＦ／ＭＧＷ４１との間の接続が解除される。
【００８５】
１１．ＭＭＴｅｌ  ＡＳ２１は問い合わせ結果に基づいてセッションを継続する、すなわち呼を継続する（ステップ１２）または呼をクリアする（ステップ１３および１４）。
【００８６】
さらに詳細な例が図８に示される。確立された通話中のアナウンス要求を説明している。
【００８７】
１  ＭＭＴｅｌ  ＡＳ２１で呼が確立される。
【００８８】
２  ＭＭＴｅｌ  ＡＳ２１はＯＣＳ３１に対して新たな問い合わせを行う必要がある。理由としては、以前に受信したクォータが使用されていたり、レート条件が、例えばメディアの変更などで変更されていたりすることなどであり得る。ＭＭＴｅｌ  ＡＳ２１は利用可能課金情報を収集し、ＯＣＳ３１にＣＣＲ（Ｕ）を送信する。
【００８９】
３  ＯＣＳ３１は、受信した情報に基づいてレーティングを行い、アカウントの状態をチェックする。ＯＣＳ３１は加入者がプリペイドユーザであるという認識を持つことになる。アナウンスサービスがＡＳから要求することが可能である場合、ＯＣＳ３１はアナウンスサービスのためのいくつかのトリガ条件が満たされているかどうかをチェックする。
【００９０】
４  ＣＣＡ（Ｕ）に含まれる通常の問い合わせ結果に加えて、ＯＣＳ３１はまたアナウンス要求を追加する。
【００９１】
アナウンス要求は新しいグループ化ＡＶＰで搬送される。
【００９２】
５  アナウンスサービスがＭＭＴｅｌ  ＡＳ２１で利用可能およびアクティブである場合には、問い合わせの結果が格納され、アナウンスサービスが開始される。すぐに開始するまたはタイミングインジケータの内容に基づいて数秒の遅延をさせることができる。
【００９３】
６  ＭＭＴｅｌ  ＡＳ２１はユーザに送信するアナウンスを選択する。選択はＯＣＳ３１から受信したアナウンス識別子に基づいている。
【００９４】
７  ＭＭＴｅｌ  ＡＳ２１は代替再生インジケータに含まれる情報に基づいて接続を確立する。この例では発呼者へのアナウンスである。ＭＭＴｅｌ  ＡＳ２１は接続先を保留にする。
【００９５】
８  ＭＭＴｅｌ  ＡＳ２１はＭＲＦ／ＭＧＷ４１への接続を確立し、どのアナウンスを再生するか通知する。
【００９６】
９  アナウンスはユーザに再生される。ＭＲＦ／ＭＧＷ４１はアナウンスがいつ配信されたのかをＭＭＴｅｌ  ＡＳ２１に示す。
【００９７】
１０  ＭＭＴａｌ  ＡＳ２１とＭＲＦ／ＭＧＷ４１との間の接続が解除される。
【００９８】
１１  接続先が保留解除される。
【００９９】
１２  呼が継続する。
【０１００】
さらに詳細な例が図９に示される。呼の終了時のアナウンスの要求を示す。
【０１０１】
１  ＭＭＴｅｌ  ＡＳ２１で呼が確立される。
【０１０２】
２  ＭＭＴｅｌ  ＡＳ２１はＯＣＳ３１に対して新たな問い合わせを行う必要がある。理由としては、以前に受信したクォータが使用されていたり、レーティング条件が、例えばメディアの変更などで変更されていたりすることなどであり得る。ＭＭＴｅｌ  ＡＳ２１が利用可能課金情報を収集し、ＯＣＳ３１にＣＣＲ（Ｕ）を送信する。
【０１０３】
３  ＯＣＳ３１は受信した情報に基づいてレーティングを行い、アカウントの状態をチェックする。ＯＣＳ３１は加入者がプリペイドユーザであるという認識を持つことになる。アナウンスサービスがＡＳから要求することが可能な場合、ＯＣＳ３１はアナウンスサービスのためのいくつかのトリガ条件が満たされているかどうかをチェックする。この場合、アカウントから最終ユニットが使用される。
【０１０４】
４  ＣＣＡ（Ｕ）内に含まれる通常の問い合わせ結果に加えて、ＯＣＳ３１はアナウンス要求をも追加する。アナウンス要求は新しいグループ化ＡＶＰで搬送される。
【０１０５】
５  アナウンスサービスがＭＭＴｅｌ  ＡＳ２１で利用可能およびアクティブとなっている場合は、問い合わせの結果が格納され、アナウンスサービスが開始される。この場合タイミングインジケータが受信されたクォータが使用された後に最初にメッセージが再生されなければならないことを通知するために使用される。タイミングインジケータのデフォルトはそれ以外の場合は「即時」である。
【０１０６】
６  すべてのクォータが使用されてしまった際にはＭＭＴｅｌ  ＡＳ２１はＢＹＥを送信することにより接続先を切断する。
【０１０７】
７  ＭＭＴｅｌ  ＡＳ２１はユーザに送信するアナウンスを選択する。選択はＯＣＳ３１から受信したアナウンス識別子に基づいている。
【０１０８】
８  ＭＭＴｅｌ  ＡＳ２１はＭＲＦ／ＭＧＷ４１への接続を確立し、どのアナウンスを再生するか通知する。
【０１０９】
９  アナウンスはユーザに再生される。ＭＲＦ／ＭＧＷ４１はいつアナウンスが配信されたかをＭＭＴｅｌ  ＡＳ２１に示す。
【０１１０】
１０  ＭＭＴａｌ  ＡＳ２１とＭＲＦ／ＭＧＷ４１との間の接続が解除される。
【０１１１】
１１−１２  呼がクリアされる。
【０１１２】
複数のアナウンスの例を図１０に示す。アカウントが非常に低いとき、すなわちＯＣＳ３１に対する最初の問い合わせでアカウントの最終ユニットが使用されるであろう場合を説明している。この場合ＣＣＡ（Ｉ）は２つのアナウンス−要求を含む：１つは呼設定のアナウンス用であり、１つは呼の終了時のアナウンス用である。
【０１１３】
図１１に示すように、ＯＣＳ３１で緊急アナウンスのためのトリガがアナウンスがすぐに再生されるべきであることを示している場合、ＯＣＳ３１はＭＭＴｅｌ  ＡＳ２１に対して再認証要求（ＲＡＲ）を送信し、ＭＭＴｅｌ  ＡＳ２１に新たな問い合わせを行うことができる。この問い合わせの処理では、ＯＣＳ３１は問い合わせの結果にアナウンス要求を追加することができる。図７−図１０関して上述した他の実施例は「オプションＢ」に対応する一方、  これは図４ａおよび図４ｂ関して上述した「オプションＡ」に対応する。
【０１１４】
アナウンスサーバ（例えば、メディアリソース機能またはＭＲＦ）の選択がＯＣＳ内で行われる最初の代替案が図１２に示される。ＯＣＳとＭＭＴｅｌ  ＡＳとの間のアナウンス識別子の結合を減少させるだけでなく、より多くのネットワーク最適化ソリューションを作成する可能性を高めるために、ＯＣＳは、アナウンスサービス要求の一環として、アナウンスサーバのアドレスをＭＭＴｅｌ  ＡＳに提供できる。
【０１１５】
アナウンスのためにＭＭＴｅｌ  ＡＳでマッピングを行う代わりに、ＯＣＳによるアナウンスの定義された構造はＭＭＴｅｌ  ＡＳが接続を確立する際にアナウンスサーバに転送される。ＯＣＳから要求されたアナウンスの構成は、ＯＣＳとＭＭＴｅｌ  ＡＳとの間の代わりにＯＣＳとアナウンスサーバとの間で調整される。
【０１１６】
こ代替案のためにアナウンス−識別子はアナウンス−参照に置き換えられる。可変部だけでなくシーケンス番号は依然として適用可能である。この情報はＭＭＴｅｌ  ＡＳからアナウンス機器に転送される。
【０１１７】
ＯＣＳおよびＭＭＴｅｌ  ＡＳからアナウンスサーバに情報を伝達するには、ＲＦＣ  ４２４０（ＳＩＰを使用した基本的なネットワークメディアサービス）からの原則を使用することができる。例が図１３に提供される。ＲＥＱ−ＵＲＩはＭＭＴｅｌ  ＡＳからアナウンスサーバへの通信で使用される。
【０１１８】
アナウンス記憶だけでなくアナウンスサーバの選択がＯＣＳで行われる第２の代替案が図１４に示される。ＯＣＳおよびアナウンスサーバ間のアナウンス識別子の結合を減少させるだけでなく、より多くのネットワーク最適化ソリューションを作成する可能性をさらに高めるために、ＯＣＳは、アナウンスサービス要求およびアナウンス記憶へのアドレスの一部として、ＭＭＴｅｌ  ＡＳにアナウンスサーバへのアドレスを提供することができる。アナウンスサーバがＶＸＭＬをサポートしている場合に便利である。アナウンスサーバはＨＴＴＰを使用してストレージから指示されたＶＸＭＬをフェッチできる。
【０１１９】
アナウンス記憶はネットワーク内に集中化することができ、またはＯＣＳ内に配置することができる。可変部（あれば）用の値とともにＶＸＭＬを記憶部に供給するために、この情報はＯＣＳと記憶部との間で提供することができ、または情報はＯＣＳからＭＭＴｅｌ  ＡＳおよびさらにアナウンスサーバへのシグナリングに含めることができる。
【０１２０】
ＯＣＳおよびＭＭＴｅｌ  ＡＳからアナウンスサーバへ情報を伝達するためにＲＦＣ  ４２４０からの原則が使用できる。
【０１２１】
説明されるソリューションは任意の適切な通信規格をサポートし、任意の適切な構成要素を使用して電気通信システムの任意の適切なタイプで実装されてもよいが、説明されるソリューションの特定の実施形態は、図１５に示されるように、ＬＴＥネットワークに実装されてもよい。
【０１２２】
図１５に示すように、例示的なネットワークは、ユーザ装置（ＵＥ）１０の１つ以上のインスタンス、およびこれらのＵＥ１０と通信することが可能な１つ以上の基地局１５を、ＵＥ１０間またはＵＥ１０と他の通信装置（固定電話など）との間での通信をサポートするのに適した任意の追加要素と共に、含んでいてもよい。図示のＵＥ１０はハードウェアおよび／またはソフトウェアの任意の適切な組み合わせを含む通信装置を表していてもよいが、これらのＵＥ１０は、特定の実施形態では、図１６によりさらに詳細に示される例示的なＵＥ１０のようなデバイスを表していてもよい。同様に、図示された基地局１５はハードウェアおよび／またはソフトウェアの任意の適切な組み合わせを含むネットワークノードを表していてもよいが、これらの基地局１５は、特定の実施形態では、図１７によりさらに詳細に示される例示的な基地局１５のような装置を表していてもよい。
【０１２３】
図１６に示すように、例示的なＵＥ１０はプロセッサ１１、メモリ１２、送受信部１３、およびアンテナ１４を含む。特定の実施形態では、移動通信装置またはＵＥの他の形態により提供されるものとして上述した機能の一部またはすべては図１６に示されるメモリ１２などのコンピュータ可読媒体に格納された命令を実行するＵＥプロセッサ１１により提供されてもよい。ＵＥ１０の代替的な実施形態は、上述した任意の機能および／または上述したソリューションをサポートするために必要な任意の機能を含む、ＵＥの機能の特定の態様を提供する責任があり得る図１６に示されるそれら以上の追加の構成要素を含んでいてもよい。
【０１２４】
図１７に示すように、例示的な基地局１５はプロセッサ１６、メモリ１７、送受信部１８、およびアンテナ１９を含む。特定の実施形態では、携帯電話基地局、基地局制御装置、ノードＢ、拡張ノードＢ、および／またはモバイル通信ノードの任意の他のタイプにより提供されるものとして上述した機能の一部またはすべては図１７に示されるメモリなどのコンピュータ可読媒体に格納された命令を実行する基地局プロセッサ１６により提供されてもよい。基地局の代替的な実施形態は、上記で特定された任意の機能および／または上述したソリューションをサポートするために必要な任意の機能を含む、追加機能を提供する責任のある追加の構成要素を含んでいてもよい。
【０１２５】
添付のシグナリング図は、様々なノードにより交換されるメッセージおよび実行される方法ステップの一連を示すだけではなく、これらのメッセージを交換する、またはそれらの方法ステップを実行する装置を示していると考えることができる。また、完全を期すため、ノードＡからノードＢに送信されるように示されるまたは説明されている任意のメッセージは、メッセージを受信するノードＢのステップと同様に、メッセージを送信するノードＡのステップ、およびこれらのステップを実行するためのノードＡおよびＢの手段を暗黙裡に含む。
【０１２６】
様々な修正が本開示の範囲から逸脱することなく上述の実施形態になされ得ることは当業者には理解されるであろう。例えば、上記の実施形態は３ＧＰＰコアネットワークの一部を参照して説明されるが、本明細書に説明される技術はまた、同様の機能構成要素を有する、３ＧＰＰコアネットワークの後継としてのような同様のネットワークに適用可能であることは容易に理解されるであろう。用語ユーザ機器（ＵＥ）はまた用語携帯端末または携帯電話の代わりに使用される。用語ＵＥは第３世代パートナーシッププロジェクト（３ＧＰＰ）ドキュメント内でよく知られており、インターネットにアクセスするように構成されている装置の任意の部分を指すことが意図され、例えば、限定はしないが、移動体通信機器、携帯用またはハンドヘルドコンピューティングデバイスおよびデスクトップまたはインストール済みコンピュータなどを含む。したがって、このような３ＧＰＰおよびＵＥなどの用語および上記の説明および添付の図面において使用される、関連付けられたまたは関係する用語はそれに応じて解釈されるべきである。
【図１】
0005963211.tif 000002
【図２】
0005963211.tif 000003
【図３】
0005963211.tif 000004
【図４ａ】
0005963211.tif 000005
【図４ｂ】
0005963211.tif 000006
【図５】
0005963211.tif 000007
【図６】
0005963211.tif 000008
【図７ａ】
0005963211.tif 000009
【図７ｂ】
0005963211.tif 000010
【図８】
0005963211.tif 000011
【図９】
0005963211.tif 000012
【図１０】
0005963211.tif 000013
【図１１】
0005963211.tif 000014
【図１２】
0005963211.tif 000015
【図１３】
0005963211.tif 000016
【図１４】
0005963211.tif 000017
【図１５】
0005963211.tif 000018
【図１６】
0005963211.tif 000019
【図１７】
0005963211.tif 000020